(57)【要約】【課題】顔面等で転がるマッサージボールを回転自在に支持して成る湾曲外側面を有する美顔器本体を、湾曲外側面を底部に形成してある支持台に載置して簡単に保管できる。【解決手段】外周面を球面類似の湾曲面に形成した握り部２、顔面上で転がるマッサージボール８を回転自在に支持していて内外方向で弾性的に進退する平坦状の支持面に形成したマッサージ部３を備えた美顔器本体１を形成する。この美顔器本体１は、底部外周面を球面類似の湾曲面に形成した椀状を呈し、マッサージ部３のマッサージボール８側を向き合わせて美顔器本体１を立てた状態で支持台２０に支持する。支持台２０は、美顔器本体１のマッサージ部３の周縁を嵌め合わせ載置させる支持縁部２１を開口縁に形成してあり、マッサージボール８を脱離自在に支持するボール支持筒６を設けた弾力性あるマッサージベース４の周縁に、支持縁部２１に嵌め合う支持段部１５を形成する。【選択図】図１
2015033640.tif 000002
【特許請求の範囲】
【請求項１】
外周面が球面類似の湾曲面に形成されている一端側の握り部、顔面上で転がるマッサージボールを回転自在に支持していて内外方向で弾性的に進退する平坦状の支持面に形成されている他端側のマッサージ部を備えている美顔器本体と、底部外周面が球面類似の湾曲面に形成されている椀状を呈し、マッサージ部のマッサージボール側が向き合わせられて美顔器本体を立てた状態で支持する支持台とから成ることを特徴とする美顔マッサージ器。
【請求項２】
支持台は、底部外周面が球面類似の湾曲面となっている椀状に形成されていると共に、美顔器本体のマッサージ部の周縁を嵌め合わせ載置させる支持縁部を開口縁に形成してある請求項１に記載の美顔マッサージ器。
【請求項３】
美顔器本体の握り部は、手指にて握り可能な程度の大きさにしてある請求項１または２に記載の美顔マッサージ器。
【請求項４】
マッサージ部は、握り部の開口部に設けられていて、開口部に嵌め合わせられて内外方向で弾性的に進退する弾性材製のマッサージベースと、複数のマッサージボールそれぞれを強制的な外力の付与で離脱可能にして支持するようマッサージベースに配装固定されたボール支持筒と、このボール支持筒それぞれに着脱自在に支持されたマッサージボールと、このマッサージボールを握り部内方側に磁力で吸引している磁石体とから成る請求項１乃至３のいずれかに記載の美顔マッサージ器。
【請求項５】
マッサージベースは、マッサージボールによる顔面等への押圧時に握り部側に凹むよう没入待避し、その押圧力が解除されたときに原位置に復帰するよう突出する程度の弾力性を備えている請求項１乃至４のいずれかに記載の美顔マッサージ器。
【請求項６】
マッサージベースの周縁には支持台の支持縁部の内側に嵌め合わせられる支持段部を形成してある請求項５に記載の美顔マッサージ器。
【請求項７】
ボール支持筒は、マッサージボールの半径よりもやや深く形成されていて、その奥底面近傍はマッサージボールの外周湾曲面が接触していない残留面がマッサージボールの径に比しやや小さい半径の湾曲面となって形成されている請求項１乃至６のいずれかに記載の美顔マッサージ器。
【請求項８】
マッサージボールは、ボール支持筒によって支持された状態で転がり回転し、転がることで顔面に適度な刺戟を与えると共に老廃物、皮脂、角質等を付着除去させ、これらの老廃物、皮脂、角質等はボール支持筒内に形成した残留面に転写させるように付着させ、ボール支持筒から突出している外出部分では清浄面となるようにしてある請求項１乃至７のいずれかに記載の美顔マッサージ器。
【請求項９】
磁石体は、握り部内で支持固定される磁石支持体によって支持されており、この磁石支持体は、握り部の内側面に当接される周縁を備えた支持盤の周縁に所定高さの支持側部を形成すると共に、支持盤の中央部に磁石体を嵌め込み収納して覆っている収納凹部を形成して成る請求項４乃至８のいずれかに記載の美顔マッサージ器。
【発明の詳細な説明】
【技術分野】
【０００１】
本発明は主として顔面におけるコリ（凝り）の原因ともなる血液循環の悪化（血行不良）、筋肉への酸素不足、乳酸などの疲労物質の蓄積等が生じないようにしてコリを解消すると共に、コリに起因するむくみ・たるみ、歪み等が生じないようにし、また手軽に使用でき、その清掃、保守、点検も容易であり、不使用時に保管したときの転倒、転がり等が生じても自動的に起き上がり、不用意に転がることなく立てた状態で簡単に保管できるようにした美顔マッサージ器に関する。
【背景技術】
【０００２】
従来から、この種の特に顔面をマッサージすることで顔面における筋肉である咀嚼筋、表情筋等のコリを解消して顔面の新陳代謝を促進し、美容効果を上げるものとして各種の美顔用マッサージ器、ローラー等が提案されている。例えば特許文献１に示される美顔器及び美容方法、特許文献２に示される美容処理装置、特許文献３に示されるマッサージ器具、特許文献４に示される複数のボールを備えたマッサージ装置、特許文献５に示される美顔ローラー等が提案されている。
【０００３】
特許文献１の美顔器は、回転可能に保持した真珠を顔面上で転がし、その真珠成分を顔の皮膚表面に付着させるとする。特許文献２の美容処理装置は、美容処理対象の肌面上を転動させるヘッドの回転によって電力を発生させ、この電力に基づき皮膚を刺戟するようにして成る。特許文献３のマッサージ器具は、先端部に概ね半分露出させて全方向回転する球体を収納し、他端部に掴み部分を備え、自重によって適度なマッサージの押圧が得られるようにして成る。特許文献４のマッサージ装置は、座体に設けた複数の収容部に一部が露出されるようにしてボールを回転可能に、抜け落ちないようにして収容し、収容部の側壁にスリットを設けて成る。特許文献５の美顔ローラーは本体に形成した筒状のボール支えに、顔面上で転がるステンレス球を回転自在にして収納し、このステンレス球は本体に被せた蓋側への本体後方側からの強制的な外力によってボール支えから外れるようにして成る。
【先行技術文献】
【特許文献】
【０００４】
【特許文献１】特開２００８−６０５７号公報
【特許文献２】特開２００８−２６４５０７号公報
【特許文献３】登録実用新案第３０４６９６８号公報
【特許文献４】登録実用新案第３１２６７７７号公報
【特許文献５】登録実用新案第３１５１５９８号公報
【発明の概要】
【発明が解決しようとする課題】
【０００５】
上述した従来のこの種の美顔器具等において、特許文献１の美顔器では、真珠成分の顔面への付着を図るとしても、その付着作用自体は必ずしも美顔効果があるものではないと共に、顔面上で転がすときには顔面上の汚れ、皮脂等が付着するから、その清掃は面倒である。特許文献２の美容処理装置では、発生電力によって皮膚を刺戟するとしても、その電気的刺戟は美容に効果があるとは必ずしも明確ではないし、発電機構を備えるから構造的に複雑でもある。特許文献３のマッサージ器具は、先端部に収納した球体により凝り部やツボに対しての押圧刺戟を与えるに際し、マッサージ器具自体の自重を利用するから、器具自体が重量的に嵩張るばかりでなく、携帯性があるとしても不便である。特許文献４のマッサージ装置は、複数のボールを座体上に一列状に配置してあるから、マッサージすべき身体部位に対して座体全体を移動させる必要があって使用が面倒であり、ボールに付着してしまった汚れ、皮脂等の清掃は容易ではない。
【０００６】
また、特許文献５の美顔ローラーは、ステンレス球を強制的な外力の付与で取り外して清掃できる利点がある。ただ、本体に蓋を被せることで全体として卵外形に類似した形態となしているから、これをそのまま例えばテーブル上に置いた場合に、ステンレス球等による重心位置が全体の中心位置にないこととも相俟ち、その湾曲面によって思いもしない方向に転がってしまう。そのために、不使用時で保管する場合、外面の湾曲面を嵌め合わせて支持する凹部を備えた、例えばドーナツ盤状の支持台上に載せることで保管している。そうすると、例えば蓋を外した状態で使用した後、蓋が手元にない場合、そのままの本体のみで置いた状態での保管は安定性に欠け、転がるのを止めることは困難である。また、蓋を被せることでステンレス球等を保護できても、支持台が手元にないと転がってしまうことに変わりはなく、支持台自体が別部材となっていることによる取り扱い上の不便さは解消できない。
【０００７】
そこで本発明は上述したような従来存した諸事情に鑑み案出されたもので、その目的は、顔面等で転がるマッサージボールを回転自在に支持して成る湾曲外側面を有する美顔器本体を、湾曲外側面を有して蓋を兼ねる支持台に載置することで簡単に保管でき、またその保管時では起き上がり小法師的に揺動する動きによってこれを楽しむこともでき、顔面マッサージの使用時では顔面に柔軟に宛がわれるようすることで使用感を向上させ、しかもマッサージボールに対する慣性的外力によるボール支持筒からの脱離、ボール支持筒に付着した汚れ、皮脂等の除去等も簡単に行えるようにした美顔マッサージ器を提供することにある。
【課題を解決するための手段】
【０００８】
上述した課題を解決するため、後述する発明を実施するための形態における符号を付記して説明すると、本発明にあっては、外周面が球面類似の湾曲面に形成されている一端側の握り部２、顔面上で転がるマッサージボール８を回転自在に支持していて内外方向で弾性的に進退する平坦状の支持面に形成されている他端側のマッサージ部３を備えている美顔器本体１と、底部外周面が球面類似の湾曲面に形成されている椀状を呈し、マッサージ部３のマッサージボール８側が向き合わせられて美顔器本体１を立てた状態で支持する支持台２０とから成ることを特徴とする。
支持台２０は、底部外周面が球面類似の湾曲面となっている椀状に形成されていると共に、美顔器本体１のマッサージ部３の周縁を嵌め合わせ載置させる支持縁部２１を開口縁に形成して構成することができる。
美顔器本体１の握り部２は、手指にて握り可能な程度の大きさにして構成することができる。
マッサージ部３は、握り部２の開口部に設けられていて、開口部に嵌め合わせられて内外方向で弾性的に進退する弾性材製のマッサージベース４と、複数のマッサージボール８それぞれを強制的な外力の付与で離脱可能にして支持するようマッサージベース４に配装固定されたボール支持筒６と、このボール支持筒６それぞれに着脱自在に支持されたマッサージボール８と、このマッサージボール８を握り部２内方側に磁力で吸引している磁石体９とから成ることで構成することができる。
マッサージベース４は、マッサージボール８による顔面等への押圧時に握り部２側に凹むよう没入待避し、その押圧力が解除されたときに原位置に復帰するよう突出する程度の弾力性を備えているものとして、また、マッサージベース４の周縁には支持台２０の支持縁部２１の内側に嵌め合わせられる支持段部１５を形成して構成することができる。
ボール支持筒６は、マッサージボール８の半径よりもやや深く形成されていて、その奥底面近傍はマッサージボール８の外周湾曲面が接触していない残留面６Ａがマッサージボール８の径に比しやや小さい半径の湾曲面となって形成されていることで構成することができる。
マッサージボール８は、ボール支持筒６によって支持された状態で転がり回転し、転がることで顔面に適度な刺戟を与えると共に老廃物、皮脂、角質等を付着除去させ、これらの老廃物、皮脂、角質等はボール支持筒６内に形成した残留面６Ａに転写させるように付着させ、ボール支持筒６から突出している外出部分では清浄面となるようにして構成することができる。
磁石体９は、握り部２内で支持固定される磁石支持体１１によって支持されており、この磁石支持体１１は、握り部２の内側面に当接される周縁を備えた支持盤１２の周縁に所定高さの支持側部１３を形成すると共に、支持盤１２の中央部に磁石体９を嵌め込み収納して覆っている収納凹部１４を形成して構成することができる。
【０００９】
以上のように構成された本発明に係る美顔マッサージ器にあって、美顔器本体１において握り部２を握持してマッサージ部３のマッサージボール８を顔面に宛がい、移動させることでマッサージボール８は顔面上で転がり、適度なマッサージ刺戟を与えると共に、老廃物、皮脂、角質等を付着除去し、ボール支持筒６内の残留面６Ａに転写付着させることで除去する。
支持台２０は、美顔器本体１のマッサージ部３側を支持台２０に向けさせて立てた状態で支持し、美顔器本体１における重量的に嵩張るマッサージボール８側を下方に向けさせたものとしていることで、支持台２０の底部外周面の湾曲面と相俟ち、例えば外力によって傾けられても起き上がり小法師状に揺動するのみで、倒れさせることがない。
マッサージ部３のマッサージベース４は、マッサージボール８が顔面に宛がわれ転がるとき、その弾力性によって握り部２の内外方向で進退し、顔面に対して柔軟な適度な刺戟を与え、顔面の筋肉を適度にほぐし、そのコリをより有効に解消させる。
マッサージボール８を支持するボール支持筒６は、美顔器本体１に支持台２０を被せた状態で、強制的な外力例えばボール支持筒６の後方から与えられる外力による慣性作用で、支持台２０内に脱離収納され、マッサージボール８自体の清掃はもとより、ボール支持筒６内における残留面６Ａに転写付着した老廃物等の清掃除去作業を容易にさせる。
握り部２内に配した磁石体９は、マッサージ部３におけるマッサージベース４の裏側からマッサージボール８を吸引していることで、顔面上で転がるときのマッサージボール８の脱離を防止し、また、外力の付与時での慣性作用によるマッサージボール８のボール支持筒６からの脱離を阻害しない。
【発明の効果】
【００１０】
本発明は以上説明したように構成されているため、顔面等をマッサージするために顔面上で転がるマッサージボール８を回転自在に支持して成る湾曲外側面を有する美顔器本体１を、湾曲外側面を底部に有して蓋を兼ねる支持台２０に載置することで簡単に保管できる。しかも、その保管時に外力が付与されても起き上がり小法師的に揺動するのみで倒れることがないから、保管時の支持安定性を確保でき、この揺動する動きによってこれを楽しむこともできる。また、顔面マッサージの使用時では顔面等にマッサージベース４による弾力性でマッサージボール８が柔軟に宛がわれることで使用感を向上できると共に、マッサージボール８に対する慣性的外力によるボール支持筒６からの脱離、ボール支持筒６の残留面６Ａに転写状に付着残留された汚れ、皮脂等の除去等も簡単に行える。
【００１１】
すなわちこれは、本発明において、握り部２、マッサージ部３を備えている美顔器本体１を、底部外周面が球面類似の湾曲面に形成されて椀状を呈している支持台２０に、マッサージ部３側が向き合わせられて美顔器本体１を立てた状態で支持させることとしたからであり、これにより、美顔器本体１は支持台２０上に立てた状態で安定的に支持でき、外力が付与されても揺動するのみで不使用保管時の美顔器本体１が不意に転がることもない。
【００１２】
また、顔面等で転がるマッサージボール８は、弾力性あるマッサージベース４に設けられたボール支持筒６に支持されているから、マッサージボール８が顔面に押圧されるとき、マッサージベース４が握り部２側への内外方向で弾性的に進退し、これによってマッサージボール８は顔面に柔軟に宛がわれ、しかもマッサージボール８の転がりを円滑にすることで静かにマッサージを行うことができる。
【００１３】
マッサージボール８が顔面上で転がることで、顔面に存する老廃物、皮脂、角質等を付着除去でき、このマッサージボール８に付着した老廃物等は、マッサージボール８がボール支持筒６内で転動していることで、ボール支持筒６内の残留面６Ａに転写状に付着されてマッサージボール８から剥がされる。こうして剥離された老廃物等は、ボール支持筒６からマッサージボール８を外した後に露出する残留面６Ａから例えば手指等で直接に剥がすように除去すれば良く、マッサージボール８を常時清浄な状態に維持できる。
【００１４】
しかも、マッサージボール８のボール支持筒６からの脱離は、例えば美顔器本体１のマッサージ部３に支持台２０を被せた状態として、一方の手で美顔器本体１側を持ち、他方の手の側に支持台２０の底部を突き当て叩くように、ボール支持筒６の後方側からの外力の付与による慣性作用によってマッサージボール８をボール支持筒６から脱離させて支持台２０内に収納保持すればよいから、極めて簡単である。
【００１５】
また、握り部２内で配置した磁石支持体１１によって、ボール支持筒６内のマッサージボール８を吸引している磁石体９を支持しているから、顔面におけるマッサージ時にマッサージボール８がボール支持筒６から脱落することなく、マッサージボール８を円滑に転がすことができる。しかも、磁石体９によってマッサージボール８が磁力によって吸引保持されていても、ボール支持筒６後方側から握り部２に付与される外力による慣性作用は、ボール支持筒６からのマッサージボール８の脱離を阻害せず、マッサージボール８をボール支持筒６内から簡単に取り外すことができる。
【００１６】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１７】
【図１】本発明を実施するための一形態を示し、支持台から美顔器本体を取り外した分解斜視図である。
【図２】同じく断面図である。
【図３】同じくマッサージボールがボール支持筒から取り外されるときの拡大断面図である。
【図４】同じく美顔器本体を支持台に載置し、立てた状態で保管支持しているときの斜視図である。
【図５】同じく美顔器本体の使用状態時の斜視図である。
【発明を実施するための形態】
【００１８】
以下、図面を参照して本発明を実施するための一形態を説明すると、図において示される符号１は握り部２、マッサージ部３を備えた美顔器本体であり、この美顔器本体１は、一端側が、この一端側部の外周面が球面類似の湾曲面に形成されている握り部２となっており、他端側が、後述するマッサージボール８を回転自在に支持していて内外方向で弾性的に進退する平坦状の支持面に形成されているマッサージ部３となっている。また、この美顔器本体１は、底部外周面が球面類似の湾曲面に形成されている椀状の支持台２０に、マッサージ部３におけるマッサージボール８が外部からは隠蔽されるよう支持台２０内に収納される形態で、マッサージ部３側が支持台２０に向き合うことで美顔器本体１が立てられた状態となって着脱自在に組み立て、組み合わせられるようにしてある。
【００１９】
美顔器本体１自体は、その握り部２にてマッサージする施術者本人の手指にて握り可能な程度の大きさを呈しており、例えば卵、レモン果実等の外周湾曲面に類似した外周湾曲面を呈し、開口部にて外部と通じる空洞状の内部となっている所定肉厚の外郭殻状に形成されている。
【００２０】
美顔器本体１のマッサージ部３は、握り部２の円形の開口部に設けられており、開口部に嵌め合わせられて内外方向で弾性的に進退する弾性材製のマッサージベース４と、複数のマッサージボール８それぞれを強制的な外力の付与による慣性作用で離脱可能にして支持するようマッサージベース４に配装固定されたボール支持筒６と、このボール支持筒６それぞれに着脱自在に支持されたマッサージボール８と、このマッサージボール８を握り部２内方側に磁力で吸引している磁石体９とから成る。
【００２１】
マッサージベース４は、マッサージボール８が例えば顔面等に押圧されたときに握り部２側に僅かにでも凹むように没入待避し、その押圧力が解除されたときに原位置に復帰するよう突出する程度の弾力性を備えた素材、例えば軟弾性合成樹脂材によって形成されている。また、握り部２の開口部に嵌り合う段部を有する周側壁５が周縁に備えられている皿状に形成されていて、このマッサージベース４の周側壁５を握り部２の開口部に嵌め入れたとき、周側壁５の外表面と握り部２の外表面とは互いに面一状となって連続するようになっている。
【００２２】
ボール支持筒６は、マッサージボール８の半径よりもやや深く形成されていて、その奥底面近傍はマッサージボール８の外周湾曲面が接触していない残留面６Ａがマッサージボール８の径に比しやや小さい半径の湾曲面となって形成されている。この残留面６Ａには、マッサージボール８が顔面上で転がることによって顔面から除去するようマッサージボール８自体に付着された老廃物、皮脂、角質等の除去物がマッサージボール８から転写されるように剥がされて付着残留させるようにしている。また、このボール支持筒６の筒壁には、適数の切欠部７が溝状に形成されていて、この切欠部７によってボール支持筒６の弾発的な作用を伴ったマッサージボール８の出し入れを円滑にしている。
【００２３】
尚、図示にあって、ボール支持筒６はマッサージベース４の円形盤面上で１２０度間隔にして計３個で配列されており、また、このボール支持筒６はマッサージベース４とは別部材としてあって、ボール支持筒６の底部とマッサージベース４の盤面とに形成した互いに噛み合う歯車状の凹凸部によって嵌め合わせて固定してある。もとより、ボール支持筒６とマッサージベース４とは一体構成とすることも可能であり、マッサージボール８数と共にボール支持筒６数を増減させて構成することも可能である。
【００２４】
マッサージボール８自体は、例えばステンレス製の球体としてあり、このマッサージボール８がボール支持筒６によって支持された状態で例えば顔面上で転がり回転するものとしてある。また、転がることで顔面に適度な刺戟を与えると共に老廃物、皮脂、角質等を付着除去させ、ボール支持筒６内で転がるときには前記したボール支持筒６内の残留面６Ａに転写させるように付着させ、ボール支持筒６から突出している外出部分では清浄面となるようにしている。
【００２５】
また、このマッサージボール８を握り部２側に磁力で吸引している前記磁石体９は、マッサージボール８が配装されているマッサージベース４の表面側と反対側である裏面の握り部２側に配置されており、マッサージベース４を通してマッサージボール８をボール支持筒６の奥部側に引き寄せている。磁石体９は、例えばネオジウム製で、図示のように例えば握り部２内で支持固定される磁石支持体１１によって支持されており、この磁石支持体１１は、握り部２の内側周面に当接される周縁を備えた円盤状の支持盤１２の周縁に所定高さの支持側部１３を形成すると共に、支持盤１２の中央部に磁石体９を嵌め込み収納する収納凹部１４を形成して成り、収納凹部１４内に収納した磁石体９を例えば接着剤によって凝固接着して収納凹部１４の開口部を覆うようにしてある。
【００２６】
このように形成されている美顔器本体１は、不使用時では前記した支持台２０によって支持保管されるようにしてある。この支持台２０は、図示のように底部外周面が球面類似の湾曲面となっている椀状に形成されていると共に、美顔器本体１のマッサージ部３の周縁を嵌め合わせ載置させる支持縁部２１を開口縁に形成してある。また、この支持台２０は、ボール支持筒６からマッサージボール８が強制的な外力の付与で離脱された場合に、マッサージボール８を収納保持するに足りる空間容積を有していて、美顔器本体１が支持台２０に嵌め合わせられた状態で、ボール支持筒６の上端縁と支持台２０の内側面との間の間隔はマッサージボール８の外径に比し小さくないものとしてある。
【００２７】
図示にあって、マッサージベース４の周縁には支持台２０の支持縁部２１の内側に嵌め合わせられる支持段部１５を形成してあり、この支持段部１５構造は、支持縁部２１側に形成することも可能である。
【００２８】
次にこれの使用の一例を説明すると、美顔器本体１において、ボール支持筒６にマッサージボール８を収納支持させた状態で握り部２によって握持し、握持したままで顔面にマッサージボール８をマッサージベース４の弾性作用を利用して宛がい転がすのであり、転がすことで顔面を適度にマッサージする（図５参照）。マッサージ後では、開口縁が上方に向けられた支持台２０の開口縁にマッサージ部３側を嵌め合わせて美顔器本体１を載置すれば良い。この載置した状態では、マッサージボール８及び磁石体９によって重心位置が全体の下部側に位置することで、支持台２０の底部外周面が湾曲していることと相俟ち、起き上がり小法師のように揺動し、倒れることなく転がらない。
【００２９】
また、例えば美顔器本体１を支持台２０に嵌め合わせた状態で全体を一方の手で持ち、支持台２０側を他方の手に強く叩くようにして外力を付与することで、ボール支持筒６内からマッサージボール８が離脱し、このマッサージボール８は支持台２０内に保持される。顔面マッサージ時に顔面上を転がることでマッサージボール８に付着した老廃物、皮脂、角質等はボール支持筒６内の残留面６Ａに転写するように付着されて残留しており、これらの残留された除去物等を適宜清掃し、その後、マッサージボール８を再度嵌め入れて同様に使用する。
【００３０】
尚、美顔器本体１は顔面をマッサージするものとして説明したが、顔面以外の身体各部に使用できるのは勿論である。
【符号の説明】
【００３１】
１…美顔器本体                          ２…握り部
３…マッサージ部                        ４…マッサージベース
５…周側壁                              ６…ボール支持筒
６Ａ…残留面                            ７…切欠部
８…マッサージボール                    ９…磁石体
１１…磁石支持体                        １２…支持盤
１３…支持側部                          １４…収納凹部
１５…支持段部
２０…支持台                            ２１…支持縁部
【図１】
2015033640.tif 000003
【図２】
2015033640.tif 000004
【図３】
2015033640.tif 000005
【図４】
2015033640.tif 000006
【図５】
2015033640.tif 000007